(57)【要約】【課題】段ボールから作られて草履台としての形態を維持することができるとともに、草履としての機能を保持することができる草履を提供する。【解決手段】草履１０Ａは、草履台１１と鼻緒１２と前坪１３とを備えている。草履台１１は、上下方向へ層状に重なり合って所定の固着手段によって固着された複数枚の段ボールから作られている。上下方向へ層状に重なり合う複数枚の段ボールは、草履台１１の天１４に位置する上層段ボール１５と、草履台１１の巻１６に位置して所定の固着手段によって上層段ボール１５に固着された中層段ボール１７と、草履台１１の底１８に位置して所定の固着手段によって中層段ボール１７に固着された下層段ボール１９とから形成されている。鼻緒１２は、その後端部が上層段ボール１５を貫通しつつ中層段ボール１７に所定の固定手段によって固定され、前坪１３は、その下端部が上層段ボール１５を貫通しつつ中層段ボール１７に所定の固定手段によって固定されている。【選択図】図１
2019170872.tif 000002
【特許請求の範囲】
【請求項１】
草履台と鼻緒と前坪とを備えた草履において、
前記草履台が、上下方向へ層状に重なり合って所定の固着手段によって固着された複数枚の段ボールから作られ、前記鼻緒と前記前坪とが、所定の固定手段によって前記段ボールに固定されていることを特徴とする草履。
【請求項２】
前記上下方向へ層状に重なり合う複数枚の段ボールが、前記草履台の天に位置する上層段ボールと、前記草履台の巻に位置して前記所定の固着手段によって前記上層段ボールに固着された中層段ボールと、前記草履台の底に位置して前記所定の固着手段によって前記中層段ボールに固着された下層段ボールとから形成され、前記鼻緒の後端部が、前記上層段ボールを貫通しつつ前記中層段ボールに前記所定の固定手段によって固定され、前記前坪の下端部が、前記上層段ボールを貫通しつつ前記中層段ボールに前記所定の固定手段によって固定されている請求項１に記載の草履。
【請求項３】
前記上層段ボールが、１枚の上層両面段ボールであり、前記中層段ボールが、上下方向へ重なり合う３枚の第１〜第３中層両面段ボールであり、前記下層段ボールが、１枚の下層両面段ボールであり、前記上層両面段ボールのライナーの下面と前記第１中層両面段ボールのライナーの上面とが、前記所定の固着手段によって固着され、前記第１中層両面段ボールのライナーの下面と前記第２中層両面段ボールのライナーの上面とが、前記所定の固着手段によって固着されているとともに、前記第２中層両面段ボールのライナーの下面と前記第３中層両面段ボールのライナーの上面とが、前記所定の固着手段によって固着され、前記第３中層両面段ボールのライナーの下面と前記下層両面段ボールのライナーの上面とが、前記所定の固着手段によって固着されている請求項２に記載の草履。
【請求項４】
前記草履では、前記上層両面段ボールの目方向と前記第１中層両面段ボールの目方向とが交差した状態で該上層両面段ボールと該第１中層両面段ボールとが上下方向へ重なり合い、前記第１中層両面段ボールの目方向と前記第２中層両面段ボールの目方向とが交差した状態で該第１中層両面段ボールと該第２中層両面段ボールとが上下方向へ重なり合っているとともに、前記第２中層両面段ボールの目方向と前記第３中層両面段ボールの目方向とが交差した状態で該第２中層両面段ボールと該第３中層両面段ボールとが上下方向へ重なり合い、前記第３中層両面段ボールの目方向と前記下層両面段ボールの目方向とが交差した状態で該第３中層両面段ボールと該下層両面段ボールとが上下方向へ重なり合っている請求項３に記載の草履。
【請求項５】
前記草履では、前記上層両面段ボールの面積と前記下層両面段ボールの面積とが前記中層両面段ボールの面積よりも小さく、前記中層両面段ボールの周縁部が前記上層両面段ボールおよび前記下層両面段ボールの周縁から径方向外方へ延出している請求項４に記載の草履。
【請求項６】
前記草履では、前記第１中層両面段ボールの面積と前記第３中層両面段ボールの面積とが前記第２中層両面段ボールの面積よりも小さく、前記第２中層両面段ボールの周縁部が前記第１中層両面段ボールおよび前記第３中層両面段ボールの周縁から径方向外方へ延出している請求項５に記載の草履。
【請求項７】
前記上層両面段ボールのライナーの上面と前記下層両面段ボールのライナーの下面とのうちの少なくとも該上層両面段ボールのライナーの上面には、防水加工と防滑加工とのうちの少なくとも一方が施されている請求項３ないし請求項６いずれかに記載の草履。
【請求項８】
前記上層段ボールが、上下方向へ重なり合う２枚の第１および第２上層両面段ボールであり、前記中層段ボールが、上下方向へ重なり合う２枚の第１および第２中層両面段ボールであり、前記下層段ボールが、上下方向へ重なり合う２枚の第１および第２下層両面段ボールであり、前記第１上層両面段ボールのライナーの下面と前記第２上層両面段ボールのライナーの上面とが、前記所定の固着手段によって固着され、前記第２上層両面段ボールのライナーの下面と前記第１中層両面段ボールのライナーの上面とが、前記所定の固着手段によって固着され、前記第１中層両面段ボールのライナーの下面と前記第２中層両面段ボールのライナーの上面とが、前記所定の固着手段によって固着されているとともに、前記第２中層両面段ボールのライナーの下面と前記第１下層両面段ボールのライナーの上面とが、前記所定の固着手段によって固着され、前記第１下上層両面段ボールのライナーの下面と前記第２下層両面段ボールのライナーの上面とが、前記所定の固着手段によって固着されている請求項２に記載の草履。
【請求項９】
前記草履では、前記第１上層両面段ボールの目方向と前記第２上層両面段ボールの目方向とが交差した状態で該第１上層両面段ボールと該第２上層両面段ボールとが上下方向へ重なり合い、前記第２上層両面段ボールの目方向と前記第１中層両面段ボールの目方向とが交差した状態で該第２上層両面段ボールと該第１中層両面段ボールとが上下方向へ重なり合い、前記第１中層両面段ボールの目方向と前記第２中層両面段ボールの目方向とが交差した状態で該第１中層両面段ボールと該第２中層両面段ボールとが上下方向へ重なり合っているとともに、前記第２中層両面段ボールの目方向と前記第１下層両面段ボールの目方向とが交差した状態で該第２中層両面段ボールと該第１下層両面段ボールとが上下方向へ重なり合い、前記第１下層両面段ボールの目方向と前記第２下層両面段ボールの目方向とが交差した状態で該第１下層両面段ボールと該第２下層両面段ボールとが上下方向へ重なり合っている請求項８に記載の草履。
【請求項１０】
前記草履では、前記第１および第２上層両面段ボールの面積と前記第１および第２下層両面段ボールの面積とが前記第１および第２中層両面段ボールの面積よりも小さく、前記第１および第２中層両面段ボールの周縁部が前記第１および第２上層両面段ボールおよび前記第１および第２下層両面段ボールの周縁から径方向外方へ延出している請求項９に記載の草履。
【請求項１１】
前記草履では、前記第１上層両面段ボールの面積が前記第２上層両面段ボールの面積よりも小さく、前記第２下層両面段ボールの面積が前記第１下層両面段ボールの面積よりも小さく、前記第２上層両面段ボールの周縁部が前記第１上層両面段ボールの周縁から径方向外方へ延出し、前記第１下層両面段ボールの周縁部が前記第２下層両面段ボールの周縁から径方向外方へ延出している請求項１０に記載の草履。
【請求項１２】
前記第１上層両面段ボールのライナーの上面と前記第２下層両面段ボールのライナーの下面とのうちの少なくとも該第１上層両面段ボールのライナーの上面には、防水加工と防滑加工とのうちの少なくとも一方が施されている請求項８ないし請求項１１いずれかに記載の草履。
【発明の詳細な説明】
【技術分野】
【０００１】
本発明は、草履台と鼻緒と前坪とを備えた草履に関する。
【背景技術】
【０００２】
スリッパやサンダルに使用する段ボール製の中敷きが開示されている（特許文献１参照）。この中敷きは、後部に周壁を有さず、前部に足覆いを有するスリッパやサンダルの足載せ面に装着される。また、靴の内部に収納される段ボールを利用した中敷きが開示されている（特許文献２参照）。この中敷きは、織布または不織布から作られて靴の内部に収容可能な外形に成形された表層と、段ボール紙のＫライナー（クラフトライナ）用材料から作られて靴の内部に収容可能な外形に成形された中間層と、段ボール紙の中芯原紙から作られて靴の内部に収容可能な外形に成形された裏面層とから形成され、表層と中間層と裏面層とが接着層を介して接着されている。この中敷きには、裏面から表層に向かって突出する多数のエンボスが形成されている。
【先行技術文献】
【特許文献】
【０００３】
【特許文献１】特開平１０−１４６０６号公報
【特許文献２】特開２０１０−２００９７６号公報
【発明の概要】
【発明が解決しようとする課題】
【０００４】
前記特許文献１や前記特許文献２に開示されている技術は、スリッパやサンダル、靴に使用する段ボールを利用した中敷きであり、それ自体が履物を構成することはない。なお、段ボールはクッション性に優れ、段ボール箱や敷物等に利用される他、その使用後はリデュースやリサイクルされるとともに、古紙としてリサイクルされる。なお、中敷きの他に、草履台に段ボールを使用した場合、市販の草履に比較して廉価に草履を作ることはできるが、着用者の全体重が草履台（段ボール）にかかると、段ボールのコルゲート構造の中芯が潰れたまま中芯のコルゲート構造が復元することはなく、草履台としての形態を維持することができず、草履としての機能を保持することができない。したがって、履いたり脱いだりを繰り返すことができず、草履として長期間の使用に耐えることができない、
【０００５】
本発明の目的は、段ボールから作られ、草履台としての形態を維持することができるとともに、草履としての機能を保持することができる草履を提供することにある。本発明の他の目的は、所定の強度および所定の耐久性を有して履いたり脱いだりを繰り返すことができ、長期の使用に耐えることができることができる草履を提供することにある。
【課題を解決するための手段】
【０００６】
前記課題を解決するための本発明の前提は、草履台と鼻緒と前坪とを備えた草履である。
【０００７】
前記前提における本発明の特徴は、草履台が上下方向へ層状に重なり合って所定の固着手段によって固着された複数枚の段ボールから作られ、鼻緒と前坪とが所定の固定手段によって段ボールに固定されていることにある。
【０００８】
本発明の一例としては、上下方向へ層状に重なり合う複数枚の段ボールが、草履台の天に位置する上層段ボールと、草履台の巻に位置して所定の固着手段によって上層段ボールに固着された中層段ボールと、草履台の底に位置して所定の固着手段によって中層段ボールに固着された下層段ボールとから形成され、鼻緒の後端部が上層段ボールを貫通しつつ中層段ボールに所定の固定手段によって固定され、前坪の下端部が上層段ボールを貫通しつつ中層段ボールに前記所定の固定手段によって固定されている。
【０００９】
本発明の他の一例としては、上層段ボールが１枚の上層両面段ボールであり、中層段ボールが上下方向へ重なり合う３枚の第１〜第３中層両面段ボールであり、下層段ボールが１枚の下層両面段ボールであり、上層両面段ボールのライナーの下面と第１中層両面段ボールのライナーの上面とが所定の固着手段によって固着され、第１中層両面段ボールのライナーの下面と第２中層両面段ボールのライナーの上面とが所定の固着手段によって固着されているとともに、第２中層両面段ボールのライナーの下面と第３中層両面段ボールのライナーの上面とが所定の固着手段によって固着され、第３中層両面段ボールのライナーの下面と下層両面段ボールのライナーの上面とが所定の固着手段によって固着されている。
【００１０】
本発明の他の一例として、草履では、上層両面段ボールの目方向と第１中層両面段ボールの目方向とが交差した状態で上層両面段ボールと第１中層両面段ボールとが上下方向へ重なり合い、第１中層両面段ボールの目方向と第２中層両面段ボールの目方向とが交差した状態で第１中層両面段ボールと第２中層両面段ボールとが上下方向へ重なり合っているとともに、第２中層両面段ボールの目方向と第３中層両面段ボールの目方向とが交差した状態で第２中層両面段ボールと第３中層両面段ボールとが上下方向へ重なり合い、第３中層両面段ボールの目方向と下層両面段ボールの目方向とが交差した状態で第３中層両面段ボールと下層両面段ボールとが上下方向へ重なり合っている。
【００１１】
本発明の他の一例として、草履では、上層両面段ボールの面積と下層両面段ボールの面積とが中層両面段ボールの面積よりも小さく、中層両面段ボールの周縁部が上層両面段ボールおよび下層両面段ボールの周縁から径方向外方へ延出している。
【００１２】
本発明の他の一例として、草履では、第１中層両面段ボールの面積と第３中層両面段ボールの面積とが第２中層両面段ボールの面積よりも小さく、第２中層両面段ボールの周縁部が第１中層両面段ボールおよび第３中層両面段ボールの周縁から径方向外方へ延出している。
【００１３】
本発明の他の一例として、上層両面段ボールのライナーの上面と下層両面段ボールのライナーの下面とのうちの少なくとも上層両面段ボールのライナーの上面には、防水加工と防滑加工とのうちの少なくとも一方が施されている。
【００１４】
本発明の他の一例としては、上層段ボールが上下方向へ重なり合う２枚の第１および第２上層両面段ボールであり、中層段ボールが上下方向へ重なり合う２枚の第１および第２中層両面段ボールであり、下層段ボールが上下方向へ重なり合う２枚の第１および第２下層両面段ボールであり、第１上層両面段ボールのライナーの下面と第２上層両面段ボールのライナーの上面とが所定の固着手段によって固着され、第２上層両面段ボールのライナーの下面と第１中層両面段ボールのライナーの上面とが所定の固着手段によって固着され、第１中層両面段ボールのライナーの下面と第２中層両面段ボールのライナーの上面とが所定の固着手段によって固着されているとともに、第２中層両面段ボールのライナーの下面と第１下層両面段ボールのライナーの上面とが所定の固着手段によって固着され、第１下上層両面段ボールのライナーの下面と第２下層両面段ボールのライナーの上面とが所定の固着手段によって固着されている。
【００１５】
本発明の他の一例として、草履では、第１上層両面段ボールの目方向と第２上層両面段ボールの目方向とが交差した状態で第１上層両面段ボールと第２上層両面段ボールとが上下方向へ重なり合い、第２上層両面段ボールの目方向と第１中層両面段ボールの目方向とが交差した状態で第２上層両面段ボールと第１中層両面段ボールとが上下方向へ重なり合い、第１中層両面段ボールの目方向と第２中層両面段ボールの目方向とが交差した状態で第１中層両面段ボールと第２中層両面段ボールとが上下方向へ重なり合っているとともに、第２中層両面段ボールの目方向と第１下層両面段ボールの目方向とが交差した状態で第２中層両面段ボールと第１下層両面段ボールとが上下方向へ重なり合い、第１下層両面段ボールの目方向と第２下層両面段ボールの目方向とが交差した状態で第１下層両面段ボールと第２下層両面段ボールとが上下方向へ重なり合っている。
【００１６】
本発明の他の一例として、草履では、第１および第２上層両面段ボールの面積と第１および第２下層両面段ボールの面積とが第１および第２中層両面段ボールの面積よりも小さく、第１および第２中層両面段ボールの周縁部が第１および第２上層両面段ボールおよび第１および第２下層両面段ボールの周縁から径方向外方へ延出している。
【００１７】
本発明の他の一例として、草履では、第１上層両面段ボールの面積が第２上層両面段ボールの面積よりも小さく、第２下層両面段ボールの面積が第１下層両面段ボールの面積よりも小さく、第２上層両面段ボールの周縁部が第１上層両面段ボールの周縁から径方向外方へ延出し、第１下層両面段ボールの周縁部が第２下層両面段ボールの周縁から径方向外方へ延出している。
【００１８】
本発明の他の一例として、第１上層両面段ボールのライナーの上面と第２下層両面段ボールのライナーの下面とのうちの少なくとも第１上層両面段ボールのライナーの上面には、防水加工と防滑加工とのうちの少なくとも一方が施されている。
【発明の効果】
【００１９】
本発明に係る草履によれば、草履台が上下方向へ層状に重なり合って所定の固着手段によって固着された複数枚の段ボールから作られているから、着用者の全体重が草履台（段ボール）にかかったとしても、複数枚の段ボールによってその体重を支えることができ、段ボールのコルゲート構造の中芯が潰れることはなく、草履台としての形態を維持することができ、草履としての機能を保持することができる。草履は、上下方向へ重なり合う複数枚の段ボールから作られた草履台が所定の強度を有するとともに所定の耐久性を有するから、履いたり脱いだりを繰り返すことができ、長期の使用に耐えることができることができる。草履は、複数枚の段ボールを上下方向へ層状に重ね、所定の固着手段によってそれら段ボールを固着し、所定の固定手段によって鼻緒と前坪とを段ボールに固定することから作られているから、その作成に手間がかからず廉価に作ることができる。
【００２０】
上下方向へ層状に重なり合う複数枚の段ボールが、草履台の天に位置する上層段ボールと、草履台の巻に位置して所定の固着手段によって上層段ボールに固着された中層段ボールと、草履台の底に位置して所定の固着手段によって中層段ボールに固着された下層段ボールとから形成され、鼻緒の後端部が上層段ボールを貫通しつつ中層段ボールに所定の固定手段によって固定され、前坪の下端部が上層段ボールを貫通しつつ中層段ボールに所定の固定手段によって固定されている草履は、草履台が上下方向へ層状に重なり合う上層段ボールと中層段ボールと下層段ボールとから形成されているから、着用者の全体重が草履台（上層段ボール、中層段ボール、下層段ボール）にかかったとしても、上層段ボールや中層段ボール、下層段ボールによってその体重を十分に支えることができ、それら段ボールのコルゲート構造の中芯が潰れることはなく、草履台としての形態を維持することができ、草履としての機能を確実に保持することができる。草履は、上下方向へ層状に重なり合う上層段ボールと中層段ボールと下層段ボールとから形成された草履台が所定の強度を有するとともに所定の耐久性を有するから、履いたり脱いだりを繰り返すことができ、長期の使用に耐えることができる。草履は、上層段ボールと中層段ボールと下層段ボールとを上下方向へ層状に重ね、所定の固着手段によってそれら段ボールを固着し、所定の固定手段によって鼻緒の後端部を中層段ボールに固定し、所定の固定手段によって前坪の下端部を中層段ボールに固定することから作られているから、その作成に手間がかからず廉価に作ることができる。
【００２１】
上層段ボールが１枚の上層両面段ボールであり、中層段ボールが上下方向へ重なり合う３枚の第１〜第３中層両面段ボールであり、下層段ボールが１枚の下層両面段ボールであり、上層両面段ボールのライナーの下面と第１中層両面段ボールのライナーの上面とが所定の固着手段によって固着され、第１中層両面段ボールのライナーの下面と第２中層両面段ボールのライナーの上面とが所定の固着手段によって固着されているとともに、第２中層両面段ボールのライナーの下面と第３中層両面段ボールのライナーの上面とが所定の固着手段によって固着され、第３中層両面段ボールのライナーの下面と下層両面段ボールのライナーの上面とが所定の固着手段によって固着されている草履は、草履台が上下方向へ層状に重なり合う上層両面段ボールと第１〜第３中層両面段ボールと下層両面段ボールとから形成されているから、着用者の全体重が草履台（上層両面段ボール、第１〜第３中層両面段ボール、下層両面段ボール）にかかったとしても、上層両面段ボールや第１〜第３中層両面段ボール、下層両面段ボールによってその体重を十分に支えることができ、それら両面段ボールのコルゲート構造の中芯が潰れることはなく、草履台としての形態を維持することができ、草履としての機能を確実に保持することができる。草履は、上下方向へ層状に重なり合う上層両面段ボールと第１〜第３中層両面段ボールと下層両面段ボールとから形成された草履台が所定の強度を有するとともに所定の耐久性を有するから、履いたり脱いだりを繰り返すことができ、長期の使用に耐えることができる。草履は、上層両面段ボールと第１〜第３中層両面段ボールと下層両面段ボールとを上下方向へ層状に重ね、所定の固着手段によって上層両面段ボールのライナーの下面と第１中層両面段ボールのライナーの上面とを固着し、所定の固着手段によって第１中層両面段ボールのライナーの下面と第２中層両面段ボールのライナーの上面とを固着するとともに、所定の固着手段によって第２中層両面段ボールのライナーの下面と第３中層両面段ボールのライナーの上面とを固着し、所定の固着手段によって第３中層両面段ボールのライナーの下面と下層両面段ボールのライナーの上面とを固着することから作られているから、その作成に手間がかからず廉価に作ることができる。
【００２２】
上層両面段ボールの目方向と第１中層両面段ボールの目方向とが交差した状態で上層両面段ボールと第１中層両面段ボールとが上下方向へ重なり合い、第１中層両面段ボールの目方向と第２中層両面段ボールの目方向とが交差した状態で第１中層両面段ボールと第２中層両面段ボールとが上下方向へ重なり合っているとともに、第２中層両面段ボールの目方向と第３中層両面段ボールの目方向とが交差した状態で第２中層両面段ボールと第３中層両面段ボールとが上下方向へ重なり合い、第３中層両面段ボールの目方向と下層両面段ボールの目方向とが交差した状態で第３中層両面段ボールと下層両面段ボールとが上下方向へ重なり合っている草履は、上層両面段ボールのコルゲート構造の中芯の延出方向（目方向）と第１中層両面段ボールのコルゲート構造の中芯の延出方向（目方向）とが交差し、第１中層両面段ボールのコルゲート構造の中芯の延出方向（目方向）と第２中層両面段ボールのコルゲート構造の中芯の延出方向（目方向）とが交差し、第２中層両面段ボールのコルゲート構造の中芯の延出方向（目方向）と第３中層両面段ボールのコルゲート構造の中芯の延出方向（目方向）とが交差するとともに、第３中層両面段ボールのコルゲート構造の中芯の延出方向（目方向）と下層両面段ボールのコルゲート構造の中芯の延出方向（目方向）とが交差した状態で、それら両面段ボールが上下方向へ重なり合っているから、それら両面段ボールの中芯の延出方向（目方向）が並行する場合と比較し、上下方向の圧縮力に対するそれら両面段ボールの抵抗力が増加し、着用者の全体重が草履台（上層両面段ボール、第１〜第３中層両面段ボール、下層両面段ボール）にかかったとしても、上層両面段ボールや第１〜第３中層両面段ボール、下層両面段ボールによってその体重を十分に支えることができ、それら両面段ボールのコルゲート構造の中芯が潰れることはなく、草履台としての形態を維持することができ、草履としての機能を確実に保持することができる。草履は、中芯の延出方向（目方向）が交差した状態で上下方向へ層状に重なり合う上層両面段ボールと第１〜第３中層両面段ボールと下層両面段ボールとから形成された草履台が所定の強度を有するとともに所定の耐久性を有するから、履いたり脱いだりを繰り返すことができ、長期の使用に耐えることができる。
【００２３】
上層両面段ボールの面積と下層両面段ボールの面積とが中層両面段ボールの面積よりも小さく、中層両面段ボールの周縁部が上層両面段ボールおよび下層両面段ボールの周縁から径方向外方へ延出している草履は、中層両面段ボールの周縁部が上層両面段ボールおよび下層両面段ボールの周縁から径方向外方へ延出することで、草履の周縁に丸みを持たせることができ、草履としての見端を向上させることができる。草履は、着用者の足裏が上層両面段ボールのライナーの周縁からはみ出したとしても、中層両面段ボールの周縁部に延びるライナーに足裏が接地するから、草履の周縁からの着用者の足裏のはみ出しを防ぐことができる。
【００２４】
第１中層両面段ボールの面積と第３中層両面段ボールの面積とが第２中層両面段ボールの面積よりも小さく、第２中層両面段ボールの周縁部が第１中層両面段ボールおよび第３中層両面段ボールの周縁から径方向外方へ延出している草履は、中層両面段ボールの周縁部が上層両面段ボールおよび下層両面段ボールの周縁から径方向外方へ延出するとともに、第２中層両面段ボールの周縁部が第１中層両面段ボールおよび第３中層両面段ボールの周縁から径方向外方へ延出することで、草履の周縁に一層丸みを持たせることができ、草履としての見端を一層向上させることができる。
【００２５】
防水加工と防滑加工とのうちの少なくとも一方が上層両面段ボールのライナーの上面と下層両面段ボールのライナーの下面とのうちの少なくとも上層両面段ボールのライナーの上面に施されている草履は、たとえば、上層両面段ボールや下層両面段ボールに防水加工を施すことで、上層両面段ボールや下層両面段ボールから草履台への水分や湿気の滲入を防ぐことができ、水分や湿気が草履台へ滲入することによる草履台の強度や耐久性の低下を防ぐことができる。また、上層両面段ボールや下層両面段ボールに防滑加工を施すことで、上層両面段ボールや下層両面段ボールに滑り止め機能を持たせることができるから、草履を着用した着用者の足裏の草履台における滑りを防ぐことができ、草履の接地面に対する滑りを防ぐことができる。
【００２６】
上層段ボールが上下方向へ重なり合う２枚の第１および第２上層両面段ボールであり、中層段ボールが上下方向へ重なり合う２枚の第１および第２中層両面段ボールであり、下層段ボールが上下方向へ重なり合う２枚の第１および第２下層両面段ボールであり、第１上層両面段ボールのライナーの下面と第２上層両面段ボールのライナーの上面とが所定の固着手段によって固着され、第２上層両面段ボールのライナーの下面と第１中層両面段ボールのライナーの上面とが所定の固着手段によって固着され、第１中層両面段ボールのライナーの下面と第２中層両面段ボールのライナーの上面とが所定の固着手段によって固着されているとともに、第２中層両面段ボールのライナーの下面と第１下層両面段ボールのライナーの上面とが所定の固着手段によって固着され、第１下上層両面段ボールのライナーの下面と第２下層両面段ボールのライナーの上面とが所定の固着手段によって固着されている草履は、草履台が上下方向へ層状に重なり合う第１および第２上層両面段ボールと第１および第２中層両面段ボールと第１および第２下層両面段ボールとから形成されているから、着用者の全体重が草履台（第１および第２上層両面段ボール、第１および第２中層両面段ボール、第１および第２下層両面段ボール）にかかったとしても、第１および第２上層両面段ボールや第１および第２中層両面段ボール、第１および第２下層両面段ボールによってその体重を十分に支えることができ、それら両面段ボールのコルゲート構造の中芯が潰れることはなく、草履台としての形態を維持することができ、草履としての機能を確実に保持することができる。草履は、上下方向へ層状に重なり合う第１および第２上層両面段ボールと第１および第２中層両面段ボールと第１および第２下層両面段ボールとから形成された草履台が所定の強度を有するとともに所定の耐久性を有するから、履いたり脱いだりを繰り返すことができ、長期の使用に耐えることができる。草履は、第１および第２上層両面段ボールと第１および第２中層両面段ボールと第１および第２下層両面段ボールとを上下方向へ層状に重ね、所定の固着手段によって第１上層両面段ボールのライナーの下面と第２上層両面段ボールのライナーの上面とを固着し、所定の固着手段によって第２上層両面段ボールのライナーの下面と第１中層両面段ボールのライナーの上面とを固着し、所定の固着手段によって第１中層両面段ボールのライナーの下面と第２中層両面段ボールのライナーの上面とを固着するとともに、所定の固着手段によって第２中層両面段ボールのライナーの下面と第１下層両面段ボールのライナーの上面とを固着し、所定の固着手段によって第１下上層両面段ボールのライナーの下面と第２下層両面段ボールのライナーの上面とを固着することから作られているから、その作成に手間がかからず廉価に作ることができる。
【００２７】
第１上層両面段ボールの目方向と第２上層両面段ボールの目方向とが交差した状態で第１上層両面段ボールと第２上層両面段ボールとが上下方向へ重なり合い、第２上層両面段ボールの目方向と第１中層両面段ボールの目方向とが交差した状態で第２上層両面段ボールと第１中層両面段ボールとが上下方向へ重なり合い、第１中層両面段ボールの目方向と第２中層両面段ボールの目方向とが交差した状態で第１中層両面段ボールと第２中層両面段ボールとが上下方向へ重なり合っているとともに、第２中層両面段ボールの目方向と第１下層両面段ボールの目方向とが交差した状態で第２中層両面段ボールと第１下層両面段ボールとが上下方向へ重なり合い、第１下層両面段ボールの目方向と第２下層両面段ボールの目方向とが交差した状態で第１下層両面段ボールと第２下層両面段ボールとが上下方向へ重なり合っている草履は、第１上層両面段ボールのコルゲート構造の中芯の延出方向（目方向）と第２上層両面段ボールのコルゲート構造の中芯の延出方向（目方向）とが交差し、第２上層両面段ボールのコルゲート構造の中芯の延出方向（目方向）と第１中層両面段ボールのコルゲート構造の中芯の延出方向（目方向）とが交差し、第１中層両面段ボールのコルゲート構造の中芯の延出方向（目方向）と第２中層両面段ボールのコルゲート構造の中芯の延出方向（目方向）とが交差するとともに、第２中層両面段ボールのコルゲート構造の中芯の延出方向（目方向）と第１下層両面段ボールのコルゲート構造の中芯の延出方向（目方向）とが交差し、第１下層両面段ボールのコルゲート構造の中芯の延出方向（目方向）と第２下層両面段ボールのコルゲート構造の中芯の延出方向（目方向）とが交差した状態で、それら両面段ボールが上下方向へ重なり合っているから、それら両面段ボールの中芯の延出方向（目方向）が並行する場合と比較し、上下方向の圧縮力に対するそれら両面段ボールの抵抗力が増加し、着用者の全体重が草履台（第１および第２上層両面段ボール、第１および第２中層両面段ボール、第１および第２下層両面段ボール）にかかったとしても、第１および第２上層両面段ボールや第１および第２中層両面段ボール、第１および第２下層両面段ボールによってその体重を十分に支えることができ、それら両面段ボールのコルゲート構造の中芯が潰れることはなく、草履台としての形態を維持することができ、草履としての機能を確実に保持することができる。草履は、中芯の延出方向（目方向）が交差した状態で上下方向へ層状に重なり合う第１および第２上層両面段ボールと第１および第２中層両面段ボールと第１および第２下層両面段ボールとから形成された草履台が所定の強度を有するとともに所定の耐久性を有するから、履いたり脱いだりを繰り返すことができ、長期の使用に耐えることができる。
【００２８】
第１および第２上層両面段ボールの面積と第１および第２下層両面段ボールの面積とが第１および第２中層両面段ボールの面積よりも小さく、第１および第２中層両面段ボールの周縁部が第１および第２上層両面段ボールおよび第１および第２下層両面段ボールの周縁から径方向外方へ延出している草履は、第１および第２中層両面段ボールの周縁部が第１および第２上層両面段ボールおよび第１および第２下層両面段ボールの周縁から径方向外方へ延出することで、草履の周縁に丸みを持たせることができ、草履としての見端を向上させることができる。草履は、着用者の足裏が第１および第２上層両面段ボールのライナーの周縁からはみ出したとしても、第１および第２中層両面段ボールの周縁部に延びるライナーに足裏が接地するから、草履の周縁からの着用者の足裏のはみ出しを防ぐことができる。
【００２９】
第１上層両面段ボールの面積が第２上層両面段ボールの面積よりも小さく、第２下層両面段ボールの面積が第１下層両面段ボールの面積よりも小さく、第２上層両面段ボールの周縁部が第１上層両面段ボールの周縁から径方向外方へ延出し、第１下層両面段ボールの周縁部が第２下層両面段ボールの周縁から径方向外方へ延出している草履は、第１および第２中層両面段ボールの周縁部が第１および第２上層両面段ボールおよび第１および第２下層両面段ボールの周縁から径方向外方へ延出し、第２上層両面段ボールの周縁部が第１上層両面段ボールの周縁から径方向外方へ延出するとともに、第１下層両面段ボールの周縁部が第２下層両面段ボールの周縁から径方向外方へ延出することで、草履の周縁に一層丸みを持たせることができ、草履としての見端を一層向上させることができる。
【００３０】
防水加工と防滑加工とのうちの少なくとも一方が第１上層両面段ボールのライナーの上面と第２下層両面段ボールのライナーの下面とのうちの少なくとも第１上層両面段ボールのライナーの上面に施されている草履は、たとえば、第１上層両面段ボールや第２下層両面段ボールに防水加工を施すことで、第１上層両面段ボールや第２下層両面段ボールから草履台への水分や湿気の滲入を防ぐことができ、水分や湿気が草履台へ滲入することによる草履台の強度や耐久性の低下を防ぐことができる。また、第１上層両面段ボールや第２下層両面段ボールに防滑加工を施すことで、第１上層両面段ボールや第２下層両面段ボールに滑り止め機能を持たせることができるから、草履を着用した着用者の足裏の草履台における滑りを防ぐことができ、草履の接地面に対する滑りを防ぐことができる。
【図面の簡単な説明】
【００３１】
【図１】一例として示す草履の斜視図。
【図２】図１の草履の上面図。
【図３】図１の草履の底面図。
【図４】図１の草履の側面図。
【図５】図２のＡ−Ａ線矢視断面図。
【図６】図２のＢ−Ｂ線矢視断面図。
【図７】鼻緒の後端部の固定状態を示す拡大図。
【図８】他の一例として示す草履の斜視図。
【図９】図８の草履の上面図。
【図１０】図８の草履の底面図。
【図１１】図８の草履の側面図。
【図１２】図９のＣ−Ｃ線矢視断面図。
【図１３】図９のＤ−Ｄ線矢視断面図。
【図１４】鼻緒の後端部の固定状態を示す拡大図。
【発明を実施するための形態】
【００３２】
一例として示す草履１０Ａの斜視図である図１等の添付の図面を参照し、本発明に係る草履の詳細を説明すると、以下のとおりである。なお、図２は、図１の草履１０Ａの上面図であり、図３は、図１の草履１０Ａの底面図である。図４は、図１の草履１０Ａの側面図であり、図５は、図２のＡ−Ａ線矢視断面図である。図６は、図２のＢ−Ｂ線矢視断面図であり、図７は、鼻緒１２の後端部２５の固定状態を示す拡大図である。図１では、上下方向を矢印Ｘで示し、径方向を矢印Ｙで示す。なお、右足用の草履１０Ａのみを図示しているが、実際には、右足用の草履１０Ａと左足用の草履とが存在する。左足用の草履の構成は右足用のそれと同一である。
【００３３】
草履１０Ａは、草履台１１と鼻緒１２と前坪１３とを備えている。草履台１１は、上下方向へ層状に重なり合った複数枚の段ボールから作られている。それら段ボールは、草履台１１の天１４に位置する（最上層に位置する）上層段ボール１５と、草履台１１の巻１６に位置する（中間層に位置する）中層段ボール１７と、草履台１１の底１８に位置する（最下層に位置する）下層段ボール１９とから形成されている。草履１０Ａ（草履１０Ｂを含む）の草履台１１に使用する段ボールの材質（紙、合成樹脂）に特に制限はなく、既存の材質の段ボールを使用することができるほか、今後開発される材質の段ボールを使用することができる。
【００３４】
上層段ボール１５は、１枚の上層両面段ボール１５ａであり、前後部が略円形および中間部が略矩形の草履形（草鞋形）に成形されている。上層両面段ボール１５ａは、矩形の両面段ボール原反から型抜きによって作ることができる。上層両面段ボール１５ａは、表ライナー２０ａおよび裏ライナー２１ａと、それらライナー２０ａ，２１ａに間に位置するコルゲート構造の中芯２２ａとから作られている。なお、上層両面段ボール１５ａの平面形状は図示のそれに限定されず、上層両面段ボール１５ａの平面形状を下駄形や雪駄形、ビーチサンダル形等の任意の形状に成形することができる。
【００３５】
上層両面段ボール１５ａの前部の中央には、前坪１３の下端部２３を挿入する挿入孔２４が穿孔されている。上層両面段ボール１５ａの後部の両側には、鼻緒１２の後端部２５を挿入する挿入孔２６が穿孔されている。上層両面段ボール１５ａの表ライナー２０ａの上面２７ａには、図示はしていないが、防水加工と防滑加工とが施されている。防水加工には、防水コーティング剤や防水フィルム等を利用する。防水加工では、防水コーティング剤が上層両面段ボール１５ａの表ライナー２０ａの上面２７ａ全域に塗布され、または、防水フィルムが上層両面段ボール１５ａの表ライナー２０ａの上面２７ａ全域に貼着される。
【００３６】
防滑加工には、滑り止めコーティング剤や滑り止めゴム等を使用する。防滑加工では、滑り止めコーティング剤が防水コーティング剤または防水フィルムの上に塗布され、または、滑り止めゴムが防水コーティング剤または防水フィルムの上に貼着される。なお、防水加工と防滑加工とのうちの少なくとも一方が上層両面段ボール１５ａの表ライナー２０ａの上面２７ａに施されていればよい。また、防水加工や防滑加工が上層両面段ボール１５ａの表ライナー２０ａの上面２７ａに施されていなくてもよい。
【００３７】
中層段ボール１７は、上下方向へ重なり合う３枚の第１中層両面段ボール１７ａと第２中層両面段ボール１７ｂと第３中層両面段ボール１７ｃとから形成されている。第１〜第３中層両面段ボール１７ａ〜１７ｃは、同形同大であり、前後部が略円形および中間部が略矩形の草履形（草鞋形）に成形されている。第１〜第３中層両面段ボール１７ａ〜１７ｃは、矩形の両面段ボール原反から型抜きによって作ることができる。
【００３８】
第１および第２中層両面段ボール１７ａ，１７ｂの前部の中央には、前坪１３の下端部２３を挿入する挿入孔２４が穿孔されている。第１および第２中層両面段ボール１７ａ，１７ｂの後部の両側には、鼻緒１２の後端部２５を挿入する挿入孔２６が穿孔されている。なお、第１〜第３中層両面段ボール１７ａ〜１７ｃの平面形状は図示のそれに限定されず、第１〜第３中層両面段ボール１７ａ〜１７ｃの平面形状を下駄形や雪駄形、ビーチサンダル形等の任意の形状に成形することができる。
【００３９】
第１中層両面段ボール１７ａは、表ライナー２８ａおよび裏ライナー２９ａと、それらライナー２８ａ，２９ａに間に位置するコルゲート構造の中芯３０ａとから作られている。第１中層両面段ボール１７ａは、上層両面段ボール１５ａの直下に配置され、上層両面段ボール１５ａの周縁３１（外周縁）が第１中層両面段ボール１７ａの周縁３２（外周縁）の径方向内方（内側）に位置した状態で、表ライナー２８ａの上面３３ａが上層両面段ボール１５ａの裏ライナー２１ａの下面３４ａに重なっている。
【００４０】
第１中層両面段ボール１７ａは、その目方向（中芯３０ａの延出方向）が上層両面段ボール１５ａの目方向（中芯２２ａの延出方向）と交差した状態で上層両面段ボール１５ａの直下に位置している。第１中層両面段ボール１７ａは、その表ライナー２８ａの上面３３ａが接着剤（所定の固着手段）（図示せず）によって上層両面段ボール１５ａの裏ライナー２１ａの下面３４ａに分離不能に固着されている。接着剤は、上層両面段ボール１５ａの裏ライナー２１ａの下面３４ａと第１中層両面段ボール１７ａの表ライナー２８ａの上面３３ａとのうちの少なくとも一方の全域に塗布され、または、少なくとも一方に部分的に塗布されている。接着剤としては、澱粉系接着剤やホットメルト接着が使用される（以下の接着剤も同様）。
【００４１】
第２中層両面段ボール１７ｂは、表ライナー２８ｂおよび裏ライナー２９ｂと、それらライナー２８ｂ，２９ｂに間に位置するコルゲート構造の中芯３０ｂとから作られている。第２中層両面段ボール１７ｂは、第１中層両面段ボール１７ａの直下に配置され、第２中層両面段ボール１７ｂの周縁３２（外周縁）と第１中層両面段ボール１７ａの周縁３２（外周縁）とが一致した状態で、表ライナー２８ｂの上面３３ｂが第１中層両面段ボール１７ａの裏ライナー２９ａの下面３５ａに重なっている。
【００４２】
第２中層両面段ボール１７ｂは、その目方向（中芯３０ｂの延出方向）が第１中層両面段ボール１７ａの目方向（中芯３０ａの延出方向）と交差した状態で第１中層両面段ボール１７ａの直下に位置している。なお、上層両面段ボール１５ａの目方向（中芯２２ａの延出方向）と第２中層両面段ボール１７ｂの目方向（中芯３０ｂの延出方向）とが略並行している。第２中層両面段ボール１７ｂは、その表ライナー２８ｂの上面３３ｂが接着剤（所定の固着手段）（図示せず）によって第１中層両面段ボール１７ａの裏ライナー２９ａの下面３５ａに分離不能に固着されている。接着剤は、第１中両面段ボール１７ａの裏ライナー２９ａの下面３５ａと第２中層両面段ボール１７ｂの表ライナー２８ｂの上面３３ｂとのうちの少なくとも一方の全域に塗布され、または、少なくとも一方に部分的に塗布されている。
【００４３】
第３中層両面段ボール１７ｃは、表ライナー２８ｃおよび裏ライナー２９ｃと、それらライナー２８ｃ，２９ｃに間に位置するコルゲート構造の中芯３０ｃとから作られている。第３中層両面段ボール１７ｃは、第２中層両面段ボール１７ｂの直下に配置され、第３中層両面段ボール１７ｃの周縁３２（外周縁）と第１および第２中層両面段ボール１７ａ，１７ｂの周縁３２（外周縁）とが一致した状態で、表ライナー２８ｃの上面３３ｃが第２中層両面段ボール１７ｂの裏ライナー２９ｂの下面３５ｂに重なっている。
【００４４】
第３中層両面段ボール１７ｃは、その目方向（中芯３０ｃの延出方向）が第２中層両面段ボール１７ｂの目方向（中芯３０ｂの延出方向）と交差した状態で第２中層両面段ボール１７ｂの直下に位置している。なお、第１中層両面段ボール１７ａの目方向（中芯３０ａの延出方向）と第３中層両面段ボール１７ｃの目方向（中芯３０ｃの延出方向）とが略並行している。第３中層両面段ボール１７ｃは、その表ライナー２８ｃの上面３３ｃが接着剤（所定の固着手段）（図示せず）によって第２中層両面段ボール１７ｂの裏ライナー２９ｂの下面３５ｂに分離不能に固着されている。接着剤は、第２中両面段ボール１７ｂの裏ライナー２９ｂの下面３５ｂと第３中層両面段ボール１７ｃの表ライナー２８ｃの上面３３ｃとのうちの少なくとも一方の全域に塗布され、または、少なくとも一方に部分的に塗布されている。
【００４５】
下層段ボール１９は、１枚の下層両面段ボール１９ａであり、前後部が略円形および中間部が略矩形の草履形（草鞋形）に成形されている。下層両面段ボール１９ａは、矩形の両面段ボール原反から型抜きによって作ることができる。下層両面段ボール１９ａは、表ライナー３６ａおよび裏ライナー３７ａと、それらライナー３６ａ，３７ａに間に位置するコルゲート構造の中芯３８ａとから作られている。なお、下層両面段ボール１９ａの平面形状は図示のそれに限定されず、下層両面段ボール１９ａの平面形状を下駄形や雪駄形、ビーチサンダル形等の任意の形状に成形することができる。
【００４６】
下層両面段ボール１９ａは、第３中層両面段ボール１７ｃの直下に配置され、下層両面段ボール１９ａの周縁３９（外周縁）が第３中層両面段ボール１７ｃの周縁３２（外周縁）の径方向内方（内側）に位置した状態で、表ライナー３６ａの上面４０ａが第３中層両面段ボール１７ｃの裏ライナー２９ｃの下面３５ｃに重なっている。下層両面段ボール１９ａは、その目方向（中芯３８ａの延出方向）が第３中層両面段ボール１７ｃの目方向（中芯３０ｃの延出方向）と交差した状態で第３中層両面段ボール１７ｃの直下に位置している。なお、第２中層両面段ボール１７ｂの目方向（中芯３０ｂの延出方向）と下層両面段ボール１９ａの目方向（中芯３８ａの延出方向）とが略並行している。下層両面段ボール１９ａは、その表ライナー３６ａの上面４０ａが接着剤（所定の固着手段）（図示せず）によって第３中層両面段ボール１７ｃの裏ライナー２９ｃの下面３５ｃに分離不能に固着されている。接着剤は、第３中両面段ボール１７ｃの裏ライナー２９ｃの下面３５ｃと下層両面段ボール１９ａの表ライナー３６ａの上面４０ａとのうちの少なくとも一方の全域に塗布され、または、少なくとも一方に部分的に塗布されている。
【００４７】
下層両面段ボール１９ａの裏ライナー３６ａの下面４１ａには、図示はしていないが、防水加工（防水コーティング剤や防水フィルム等）と防滑加工（滑り止めコーティング剤や滑り止めゴム等）とが施されている。防水加工では、防水コーティング剤が下層両面段ボール１９ａの裏ライナー３６ａの下面４１ａ全域に塗布され、または、防水フィルムが下層両面段ボール１９ａの裏ライナー３６ａの下面４１ａ全域に貼着される。防滑加工では、滑り止めコーティング剤が防水コーティング剤または防水フィルムの下に塗布され、または、滑り止めゴムが防水コーティング剤または防水フィルムの下に貼着される。なお、防水加工と防滑加工とのうちの少なくとも一方が下層両面段ボール１９ａの裏ライナー３６ａの下面４１ａに施されていればよい。また、防水加工や防滑加工が下層両面段ボール１９ａの裏ライナー３６ａの下面４１ａに施されていなくてもよい。
【００４８】
草履１０Ａでは、上層両面段ボール１５ａと第１〜第３中層両面段ボール１７ａ〜１７ｃと下層両面段ボール１９ａとが同形であるが、上層両面段ボール１５ａの面積と下層両面段ボール１９ａの面積とが第１〜第３中層両面段ボール１７ａ〜１７ｃの面積よりも小さい。草履１０Ａでは、第１〜第３中層両面段ボール１７ａ〜１７ｃの周縁部４２が上層両面段ボール１５ａおよび下層両面段ボール１９ａの周縁３１，３９から径方向外方へ延出している。なお、草履１０Ａでは、第１〜第３中層両面段ボール１７ａ〜１７ｃが同形同大であるが、第１中層両面段ボール１７ａの面積と第３中層両面段ボール１７ｃの面積とが第２中層両面段ボール１７ｂの面積よりも小さくてもよい。この場合、第２中層両面段ボール１７ｂの周縁部４２が第１中層両面段ボール１７ａおよび第３中層両面段ボール１７ｃの周縁から径方向外方へ延出する。
【００４９】
鼻緒１２は、化学繊維や天然繊維を撚って作られた縄材である。鼻緒１２は、一対のそれらが草履台１１の前部から後部に向かって延びている。それら鼻緒１２は、その後端部２５が草履台１１の上層両面段ボール１５ａおよび第１および第２中層両面段ボール１７ａ，１７ｂの後部の両側に穿孔された挿入孔２６に挿入されている。それら鼻緒１２の後端部２５は、図７に示すように、挿入孔２６に充填されたホットメルト接着剤（所定の固定手段）によって第１〜第３中層両面段ボール１７ａ〜１７ｃに分離不能に固定されている。なお、鼻緒には、縄材の他に、織物や編み物を使用することができる。
【００５０】
前坪１３は、鼻緒１２と同様の縄材である。前坪１３は、草履台１１の前部に位置して上下方向へ延びている。前坪１３は、その下端部２３が草履台１１の上層両面段ボール１５ａおよび第１および第２中層両面段ボール１７ａ，１７ｂの前部の中央に穿孔された挿入孔２４に挿入されている。前坪１３の下端部２３は、図５に示すように、挿入孔２４に充填されたホットメルト接着剤（所定の固定手段）によって第１〜第３中層両面段ボール１７ａ〜１７ｃに分離不能に固定されている。なお、前坪１３には、縄材の他に、織物や編み物を使用することができる。
【００５１】
草履１０Ａは、矩形の段ボール原反を型抜きして複数枚の上層両面段ボール１５ａ、複数枚の第１〜第３中層両面段ボール１７ａ〜１７ｃ、複数枚の下層両面段ボール１９ａを作成し、上層両面段ボール１５ａの下に第１中層両面段ボール１７ａを重ね、第１中層両面段ボール１７ａの下に第２中層両面段ボール１７ｂを重ねるとともに、第２中層両面段ボール１７ｂの下に第３中層両面段ボール１７ｃを重ね、第３中層両面段ボール１７ｃの下に下層両面段ボール１９ａを重ね、それら両面段ボール１５ａ，１７ａ〜１７ｃ，１９ａを接着剤によって固着し、それら鼻緒１２の後端部２５を挿入孔２６に挿入しつつホットメルト接着剤によって第１〜第３中層両面段ボール１７ａ〜１７ｃに固定するとともに、前坪１３の下端部２３を挿入孔２４に挿入しつつホットメルト接着剤によって第１〜第３中層両面段ボール１７ａ〜１７ｃに固定することから作ることができる。
【００５２】
草履１０Ａは、草履台１１が上下方向へ層状に重なり合う上層両面段ボール１５ａと第１〜第３中層両面段ボール１７ａ〜１７ｃと下層両面段ボール１９ａとから形成され、上層両面段ボール１５ａのコルゲート構造の中芯２２ａの延出方向（目方向）と第１中層両面段ボール１７ａのコルゲート構造の中芯３０ａの延出方向（目方向）とが交差し、第１中層両面段ボール１７ａのコルゲート構造の中芯３０ａの延出方向（目方向）と第２中層両面段ボール１７ｂのコルゲート構造の中芯３０ｂの延出方向（目方向）とが交差し、第２中層両面段ボール１７ｂのコルゲート構造の中芯３０ｂの延出方向（目方向）と第３中層両面段ボール１７ｃのコルゲート構造の中芯３０ｃの延出方向（目方向）とが交差するとともに、第３中層両面段ボール１７ｃのコルゲート構造の中芯３０ｃの延出方向（目方向）と下層両面段ボール１９ａのコルゲート構造の中芯３８ａの延出方向（目方向）とが交差した状態で、それら両面段ボール１５ａ，１７ａ〜１７ｃ，１９ａが上下方向へ重なり合っているから、それら両面段ボール１５ａ，１７ａ〜１７ｃ，１９ａの中芯３０ａ〜３０ｃの延出方向（目方向）が並行する場合と比較し、上下方向の圧縮力に対するそれら両面段ボール１５ａ，１７ａ〜１７ｃ，１９ａの抵抗力が増加し、着用者の全体重が草履台（上層両面段ボール１５ａ、第１〜第３中層両面段ボール１７ａ〜１７ｃ、下層両面段ボール１９ａ）にかかったとしても、上層両面段ボール１５ａや第１〜第３中層両面段ボール１７ａ〜１７ｃ、下層両面段ボール１９ａによってその体重を十分に支えることができ、それら両面段ボール１５ａ，１７ａ〜１７ｃ，１９ａのコルゲート構造の中芯３０ａ〜３０ｃが潰れることはなく、草履台１１としての形態を維持することができ、草履１０Ａとしての機能を確実に保持することができる。
【００５３】
草履１０Ａは、中芯３０ａ〜３０ｃの延出方向（目方向）が交差した状態で上下方向へ層状に重なり合う上層両面段ボール１５ａと第１〜第３中層両面段ボール１７ａ〜１７ｃと下層両面段ボール１９ａとから形成された草履台１１が所定の強度を有するとともに所定の耐久性を有するから、履いたり脱いだりを繰り返すことができ、長期の使用に耐えることができる。
【００５４】
草履１０Ａは、上層両面段ボール１５ａと第１〜第３中層両面段ボール１７ａ〜１７ｃと下層両面段ボール１９ａとを上下方向へ層状に重ね、所定の固着手段によって上層両面段ボール１５ａの裏ライナー２１ａの下面３４ａと第１中層両面段ボール１７ａの表ライナー２８ａの上面３３ａとを固着し、所定の固着手段によって第１中層両面段ボール１７ａの裏ライナー２９ａの下面３５ａと第２中層両面段ボール１７ｂの表ライナー２８ｂの上面３３ｂとを固着するとともに、所定の固着手段によって第２中層両面段ボール１７ｂの裏ライナー２９ｂの下面３５ｂと第３中層両面段ボール１７ｃの表ライナー２８ｃの上面３３ｃとを固着し、所定の固着手段によって第３中層両面段ボール１７ｃの裏ライナー２９ｃの下面３５ｃと下層両面段ボール１９ａの表ライナー３６ａの上面４０ａとを固着することから作られているから、その作成に手間がかからず廉価に作ることができる。
【００５５】
草履１０Ａは、上層両面段ボール１５ａの面積と下層両面段ボール１９ａの面積とが第１〜第３中層両面段ボール１７ａ〜１７ｃの面積よりも小さく、第１〜第３中層両面段ボール１７ａ〜１７ｃの周縁部４２が上層両面段ボール１５ａおよび下層両面段ボール１９ａの周縁３１，３９から径方向外方へ延出しているから、草履１０Ａの周縁（外周縁部）に丸みを持たせることができ、草履１０Ａとしての見端を向上させることができる。草履１０Ａは、着用者の足裏が上層両面段ボール１５ａの表ライナー２０ａの周縁３１からはみ出したとしても、第１〜第３中層両面段ボール１７ａ〜１７ｃの周縁部４２に延びる表ライナー２８ａに足裏が接地するから、草履１０Ａの周縁からの着用者の足裏のはみ出しを防ぐことができる。
【００５６】
草履１０Ａは、上層両面段ボール１５ａや下層両面段ボール１９ａに防水加工を施すことで、上層両面段ボール１５ａや下層両面段ボール１９ａから草履台１１への水分や湿気の滲入を防ぐことができ、水分や湿気が草履台１１へ滲入することによる草履台１１の強度や耐久性の低下を防ぐことができる。また、上層両面段ボール１５ａや下層両面段ボール１９ａに防滑加工を施すことで、上層両面段ボール１５ａや下層両面段ボール１９ａに滑り止め機能を持たせることができるから、草履１０Ａを着用した着用者の足裏の草履台１１における滑りを防ぐことができ、草履１０Ａの接地面に対する滑りを防ぐことができる。
【００５７】
図８は、他の一例として示す草履１０Ｂの斜視図であり、図９は、図８の草履１０Ｂの上面図である。図１０は、図８の草履１０Ｂの底面図であり、図１１は、図８の草履１０Ｂの側面図である。図１２は、図９のＣ−Ｃ線矢視断面図であり、図１３は、図９のＤ−Ｄ線矢視断面図である。図１４は、鼻緒１２の後端部２５の固定状態を示す拡大図である。図８では、上下方向を矢印Ｘで示し、径方向を矢印Ｙで示す。なお、右足用の草履１０Ｂのみを図示しているが、実際には、右足用の草履１０Ｂと左足用の草履とが存在する。左足用の草履の構成は右足用のそれと同一である。
【００５８】
草履１０Ｂは、草履台１１と鼻緒１２と前坪１３とを備えている。草履台１１は、上下方向へ層状に重なり合った複数枚の段ボールから作られている。それら段ボールは、草履台１１の天１４に位置する（最上層に位置する）上層段ボール１５と、草履台１１の巻１６に位置する（中間層に位置する）中層段ボール１７と、草履台１１の底１８に位置する（最下層に位置する）下層段ボール１９とから形成されている。
【００５９】
上層段ボール１５は、上下方向へ重なり合う２枚の第１上層両面段ボール１５ａと第２上層両面段ボール１５ｂとから形成されている。第１および第２上層両面段ボール１５ａ，１５ｂは、同形であり、前後部が略円形および中間部が略矩形の草履形（草鞋形）に成形されている。第１上層両面段ボール１５ａや第２上層両面段ボール１５ｂは、矩形の両面段ボール原反から型抜きによって作ることができる。第１上層両面段ボール１５ａは、表ライナー２０ａおよび裏ライナー２１ａと、それらライナー２０ａ，２１ａに間に位置するコルゲート構造の中芯２２ａとから作られ、第２上層両面段ボール１５ｂは、表ライナー２０ｂおよび裏ライナー２１ｂと、それらライナー２０ｂ，２１ｂに間に位置するコルゲート構造の中芯２２ｂとから作られている。なお、それら上層両面段ボール１５ａ，１５ｂの平面形状は図示のそれに限定されず、それら上層両面段ボール１５ａ，１５ｂの平面形状を下駄形や雪駄形、ビーチサンダル形等の任意の形状に成形することができる。
【００６０】
第１上層両面段ボール１５ａおよび第２上層両面段ボール１５ｂの前部の中央には、前坪１３の下端部２３を挿入する挿入孔２４が穿孔されている。第１および第２上層両面段ボール１５ａ，１５ｂの後部の両側には、鼻緒１２の後端部２５を挿入する挿入孔２６が穿孔されている。第１上層両面段ボール１５ａの表ライナー２０ａの上面２７ａには、図示はしていないが、防水加工と防滑加工とが施されている。防水加工や防滑加工は、草履１０Ａのそれと同一である。なお、防水加工と防滑加工とのうちの少なくとも一方が第１上層両面段ボール１５ａの表ライナー２０ａの上面２７ａに施されていればよい。また、防水加工や防滑加工が第１上層両面段ボール１５ａの表ライナー２０ａの上面２７ａに施されていなくてもよい。
【００６１】
第２上層両面段ボール１５ｂは、第１上層両面段ボール１５ａの直下に配置され、第１上層両面段ボール１５ａの周縁３１ａ（外周縁）が第２上層両面段ボール１５ｂの周縁３１ｂ（外周縁）の径方向内方（内側）に位置した状態で、表ライナー２０ｂの上面２７ｂが第１上層両面段ボール１５ａの裏ライナー２１ａの下面３４ａに重なっている。第２上層両面段ボール１５ｂは、その目方向（中芯２２ｂの延出方向）が第１上層両面段ボール１５ａの目方向（中芯２２ａの延出方向）と交差した状態で第１上層両面段ボール１５ａの直下に位置している。
【００６２】
第２上層両面段ボール１５ｂは、その表ライナー２０ｂの上面２７ｂが接着剤（所定の固着手段）（図示せず）によって第１上層両面段ボール１５ａの裏ライナー２１ａの下面３４ａに分離不能に固着されている。接着剤は、第１上層両面段ボール１５ａの裏ライナー２１ａの下面３４ａと第２上層両面段ボール１５ｂの表ライナー２０ｂの上面２７ｂとのうちの少なくとも一方の全域に塗布され、または、少なくとも一方に部分的に塗布されている。
【００６３】
中層段ボール１７は、上下方向へ重なり合う２枚の第１中層両面段ボール１７ａと第２中層両面段ボール１７ｂとから形成されている。第１および第２中層両面段ボール１７ａ，１７ｂは、同形同大であり、前後部が略円形および中間部が略矩形の草履形（草鞋形）に成形されている。第１中層両面段ボール１７ａや第２中層両面段ボール１７ｂは、矩形の両面段ボール原反から型抜きによって作ることができる。第１中層両面段ボール１７ａの前部の中央には、前坪１３の下端部２３を挿入する挿入孔２４が穿孔されている。第１中層両面段ボール１７ａの後部の両側には、鼻緒１２の後端部２５を挿入する挿入孔２６が穿孔されている。なお、第１および第２中層両面段ボール１７ａ，１７ｂの平面形状は図示のそれに限定されず、第１および第２中層両面段ボール１７ａ，１７ｂの平面形状を下駄形や雪駄形、ビーチサンダル形等の任意の形状に成形することができる。
【００６４】
第１中層両面段ボール１７ａは、表ライナー２８ａおよび裏ライナー２９ａと、それらライナー２８ａ，２９ａに間に位置するコルゲート構造の中芯３０ａとから作られ、第２中層両面段ボール１７ｂは、表ライナー２８ｂおよび裏ライナー２９ｂと、それらライナー２８ｂ，２９ｂに間に位置するコルゲート構造の中芯３０ｂとから作られている。第１中層両面段ボール１７ａは、第２上層両面段ボール１５ｂの直下に配置され、第２上層両面段ボール１５ｂの周縁３１ｂ（外周縁）が第１中層両面段ボール１７ａの周縁３２（外周縁）の径方向内方（内側）に位置した状態で、表ライナー２８ａの上面２７ａが第２上層両面段ボール１５ｂの裏ライナー２１ｂの下面３４ｂに重なっている。
【００６５】
第１中層両面段ボール１７ａは、その目方向（中芯３０ａの延出方向）が第２上層両面段ボール１５ｂの目方向（中芯２２ｂの延出方向）と交差した状態で第２上層両面段ボール１５ｂの直下に位置している。なお、第１上層両面段ボール１５ａの目方向（中芯２２ａの延出方向）と第１中層両面段ボール１７ａの目方向（中芯３０ａの延出方向）とが略並行している。第１中層両面段ボール１７ａは、その表ライナー２８ａの上面３３ａが接着剤（所定の固着手段）（図示せず）によって第２上層両面段ボール１５ｂの裏ライナー２１ｂの下面３４ｂに分離不能に固着されている。接着剤は、第２上層両面段ボール１５ｂの裏ライナー２１ｂの下面３４ｂと第１中層両面段ボール１７ａの表ライナー２８ａの上面３３ａとのうちの少なくとも一方の全域に塗布され、または、少なくとも一方に部分的に塗布されている。
【００６６】
第２中層両面段ボール１７ｂは、第１中層両面段ボール１７ａの直下に配置され、第２中層両面段ボール１７ｂの周縁３２（外周縁）と第１中層両面段ボール１７ａの周縁３２（外周縁）とが一致した状態で、表ライナー２８ｂの上面３５ｂが第１中層両面段ボール１７ａの裏ライナー２９ａの下面３５ａに重なっている。第２中層両面段ボール１７ｂは、その目方向（中芯３０ｂの延出方向）が第１中層両面段ボール１７ａの目方向（中芯３０ａの延出方向）と交差した状態で第１中層両面段ボール１７ａの直下に位置している。なお、第２上層両面段ボール１５ｂの目方向（中芯２２ｂの延出方向）と第２中層両面段ボール１７ｂの目方向（中芯３０ｂの延出方向）とが略並行している。第２中層両面段ボール１７ｂは、その表ライナー２８ｂの上面３３ｂが接着剤（所定の固着手段）（図示せず）によって第１中層両面段ボール１７ａの裏ライナー２９ａの下面３５ａに分離不能に固着されている。接着剤は、第１中両面段ボール１７ａの裏ライナー２９ａの下面３５ａと第２中層両面段ボール１７ｂの表ライナー２８ｂの上面３３ｂとのうちの少なくとも一方の全域に塗布され、または、少なくとも一方に部分的に塗布されている。
【００６７】
下層段ボール１９は、上下方向へ重なり合う２枚の第１下層両面段ボール１９ａと第２下層両面段ボール１９ｂとから形成されている。第１および第２下層両面段ボール１９ａ，１９ｂは、同形であり、前後部が略円形および中間部が略矩形の草履形（草鞋形）に成形されている。第１下層両面段ボール１９ａや第２下層両面段ボール１９ｂは、矩形の両面段ボール原反から型抜きによって作ることができる。第１下層両面段ボール１９ａは、表ライナー３６ａおよび裏ライナー３７ａと、それらライナー３６ａ，３７ａに間に位置するコルゲート構造の中芯３８ａとから作られ、第２下層両面段ボール１９ｂは、表ライナー３６ｂおよび裏ライナー３７ｂと、それらライナー３６ｂ，３７ｂに間に位置するコルゲート構造の中芯３８ｂとから作られている。なお、それら下層両面段ボール１９ａ，１９ｂの平面形状は図示のそれに限定されず、それら下層両面段ボール１９ａ，１９ｂの平面形状を下駄形や雪駄形、ビーチサンダル形等の任意の形状に成形することができる。
【００６８】
第１下層両面段ボール１９ａは、第２中層両面段ボール１７ｂの直下に配置され、第１下層両面段ボール１９ａの周縁３９ａ（外周縁）が第２中層両面段ボール１７ｂの周縁３２（外周縁）の径方向内方（内側）に位置した状態で、表ライナー３６ａの上面４０ａが第２中層両面段ボール１７ｂの裏ライナー２９ｂの下面３５ｂに重なっている。第１下層両面段ボール１９ａは、その目方向（中芯３８ａの延出方向）が第２中層両面段ボール１７ｂの目方向（中芯３０ａの延出方向）と交差した状態で第２中層両面段ボール１７ｂの直下に位置している。なお、第１下層両面段ボール１９ａの目方向（中芯３８ａの延出方向）と第１中層両面段ボール１７ａの目方向（中芯３０ａの延出方向）とが略並行している。第１下層両面段ボール１９ａは、その表ライナー３６ａの上面４０ａが接着剤（所定の固着手段）（図示せず）によって第２中層両面段ボール１７ｂの裏ライナー２９ｂの下面３５ｂに分離不能に固着されている。接着剤は、第２中層両面段ボール１７ｂの裏ライナー２９ｂの下面３５ｂと第１下層両面段ボール１９ａの表ライナー３６ａの上面４０ａとのうちの少なくとも一方の全域に塗布され、または、少なくとも一方に部分的に塗布されている。
【００６９】
第２下層両面段ボール１９ｂは、第１下層両面段ボール１９ａの直下に配置され、第２下層両面段ボール１９ｂの周縁３９ｂ（外周縁）が第１下層両面段ボール１９ａの周縁３９ａ（外周縁）の径方向内方（内側）に位置した状態で、表ライナー３６ｂの上面４０ｂが第１下層両面段ボール１９ａの裏ライナー３７ａの下面４１ａに重なっている。第２下層両面段ボール１９ｂは、その目方向（中芯３８ｂの延出方向）が第１下層両面段ボール１９ａの目方向（中芯３８ａの延出方向）と交差した状態で第１下層両面段ボール１９ａの直下に位置している。なお、第２下層両面段ボール１９ｂの目方向（中芯３８ｂの延出方向）と第２中層両面段ボール１７ｂの目方向（中芯３０ｂの延出方向）とが略並行している。第２下層両面段ボール１９ｂは、その表ライナー３６ｂの上面４０ｂが接着剤（所定の固着手段）（図示せず）によって第１下層両面段ボール１９ａの裏ライナー３７ａの下面４１ａに分離不能に固着されている。接着剤は、第１下層両面段ボール１９ａの裏ライナー３７ａの下面４１ａと第２下層両面段ボール１９ｂの表ライナー３６ｂの上面４０ｂとのうちの少なくとも一方の全域に塗布され、または、少なくとも一方に部分的に塗布されている。
【００７０】
第２下層両面段ボール１９ｂの裏ライナー３７ｂの下面４１ｂには、図示はしていないが、防水加工と防滑加工とが施されている。防水加工や防滑加工は、草履１０Ａのそれと同一である。なお、防水加工と防滑加工とのうちの少なくとも一方が第２下層両面段ボール１９ｂの裏ライナー３７ｂの下面４１ｂに施されていればよい。また、防水加工や防滑加工が第２下層両面段ボール１９ｂの裏ライナー３７ｂの下面４１ｂに施されていなくてもよい。
【００７１】
草履１０Ｂでは、第１および第２上層両面段ボール１５ａ，１５ｂと第１および第２中層両面段ボール１７ａ，１７ｂと第１および第２下層両面段ボール１９ａ，１９ｂとが同形であるが、第１および第２上層両面段ボール１５ａ，１５ｂの面積と第１および第２下層両面段ボール１９ａ，１９ｂの面積とが第１および第２中層両面段ボール１７ａ，１７ｂの面積よりも小さい。したがって、第１および第２中層両面段ボール１７ａ，１７ｂの周縁部４２が第１および第２上層両面段ボール１５ａ，１５ｂおよび第１および第２下層両面段ボール１９ａ，１９ｂの周縁３１ａ，３１ｂ，３９ａ，３９ｂから径方向外方へ延出している。草履１０Ｂでは、第１上層両面段ボール１５ａの面積が第２上層両面段ボール１５ｂの面積よりも小さく、第２下層両面段ボール１９ｂの面積が第１下層両面段ボール１９ａの面積よりも小さい。したがって、第２上層両面段ボール１５ｂの周縁部が第１上層両面段ボール１５ａの周縁３１ａから径方向外方へ延出し、第１下層両面段ボール１９ａの周縁部が第２下層両面段ボール１９ｂの周縁３９ｂから径方向外方へ延出している。
【００７２】
鼻緒１２は、図１の草履１０Ａのそれと同一であり、その後端部２５が草履台１１の第１および第２上層両面段ボール１５ａ，１５ｂと第１中層両面段ボール１７ａとの後部の両側に穿孔された挿入孔２６に挿入されている。それら鼻緒１２の後端部２５は、図１４に示すように、挿入孔２６に充填されたホットメルト接着剤（所定の固定手段）によって第２上層両面段ボール１５ｂと第１および第２中層両面段ボール１７ａ，１７ｂとに分離不能に固定されている。前坪１３は、図１の草履１０Ａのそれと同一であり、その下端部２３が草履台１１の第１および第２上層両面段ボール１５ａ，１５ｂおよび第１中層両面段ボール１７ａの前部の中央に穿孔された挿入孔２４に挿入されている。前坪１３の下端部２３は、図１２に示すように、挿入孔２４に充填されたホットメルト接着剤（所定の固定手段）によって第２上層両面段ボール１５ｂと第１および第２中層両面段ボール１７ａ，１７ｂとに分離不能に固定されている。
【００７３】
草履１０Ｂは、矩形の段ボール原反を型抜きして複数枚の第１および第２上層両面段ボール１５ａ，１５ｂ、複数枚の第１および第２中層両面段ボール１７ａ，１７ｂ、複数枚の第１および第２下層両面段ボール１９ａ，１９ｂを作成し、第１上層両面段ボール１５ａの下に第２上層両面段ボール１５ｂを重ね、第２上層両面段ボール１５ｂの下に第１中層両面段ボール１７ａを重ね、第１中層両面段ボール１７ａの下に第２中層両面段ボール１７ｂを重ねるとともに、第２中層両面段ボール１７ｂの下に第１下層両面段ボール１９ａを重ね、第１下層両面段ボール１９ａの下に第２下層両面段ボール１９ｂを重ね、それら両面段ボール１５ａ，１５ｂ，１７ａ，１７ｂ，１９ａ，１９ｂを接着剤によって固着し、それら鼻緒１２の後端部２５を挿入孔２６に挿入しつつホットメルト接着剤によって第２上層両面段ボール１５ｂと第１および第２中層両面段ボール１７ａ，１７ｂとに固定するとともに、前坪１３の下端部２３を挿入孔２４に挿入しつつホットメルト接着剤によって第２上層両面段ボール１５ｂと第１および第２中層両面段ボール１７ａ，１７ｂとに固定することから作ることができる。
【００７４】
草履１０Ｂは、草履台１１が上下方向へ層状に重なり合う第１および第２上層両面段ボール１５ａ，１５ｂと第１および第２中層両面段ボール１７ａ，１７ｂと第１および第２下層両面段ボール１９ａ，１９ｂとから形成され、第１上層両面段ボール１５ａのコルゲート構造の中芯２２ａの延出方向（目方向）と第２上層両面段ボール１５ｂのコルゲート構造の中芯２２ｂの延出方向（目方向）とが交差し、第２上層両面段ボール１５ｂのコルゲート構造の中芯２２ｂの延出方向（目方向）と第１中層両面段ボール１７ａのコルゲート構造の中芯３０ａの延出方向（目方向）とが交差し、第１中層両面段ボール１７ａのコルゲート構造の中芯３０ａの延出方向（目方向）と第２中層両面段ボール１７ｂのコルゲート構造の中芯３０ｂの延出方向（目方向）とが交差するとともに、第２中層両面段ボール１７ｂのコルゲート構造の中芯３０ｂの延出方向（目方向）と第１下層両面段ボール１９ａのコルゲート構造の中芯３８ａの延出方向（目方向）とが交差し、第１下層両面段ボール１９ａのコルゲート構造の中芯３８ａの延出方向（目方向）と第２下層両面段ボール１９ｂのコルゲート構造の中芯３８ｂの延出方向（目方向）とが交差した状態で、それら両面段ボール１５ａ，１５ｂ，１７ａ，１７ｂ，１９ａ，１９ｂが上下方向へ重なり合っているから、それら両面段ボール１５ａ，１５ｂ，１７ａ，１７ｂ，１９ａ，１９ｂの中芯２２ａ，２２ｂ，３０ａ，３０ｂ，３８ａ，３８ｂの延出方向（目方向）が並行する場合と比較し、上下方向の圧縮力に対するそれら両面段ボール１５ａ，１５ｂ，１７ａ，１７ｂ，１９ａ，１９ｂの抵抗力が増加し、着用者の全体重が草履台（第１および第２上層両面段ボール１５ａ，１５ｂ、第１および第２中層両面段ボール１７ａ，１７ｂ、第１および第２下層両面段ボール１９ａ，１９ｂ）にかかったとしても、第１および第２上層両面段ボール１５ａ，１５ｂや第１および第２中層両面段ボール１７ａ，１７ｂ、第１および第２下層両面段ボール１９ａ，１９ｂによってその体重を十分に支えることができ、それら両面段ボール１５ａ，１５ｂ，１７ａ，１７ｂ，１９ａ，１９ｂのコルゲート構造の中芯２２ａ，２２ｂ，３０ａ，３０ｂ，３８ａ，３８ｂが潰れることはなく、草履台１１としての形態を維持することができ、草履１０Ｂとしての機能を確実に保持することができる。
【００７５】
草履１０Ｂは、中芯２２ａ，２２ｂ，３０ａ，３０ｂ，３８ａ，３８ｂの延出方向（目方向）が交差した状態で上下方向へ層状に重なり合う第１および第２上層両面段ボール１５ａ，１５ｂと第１および第２中層両面段ボール１７ａ，１７ｂと第１および第２下層両面段ボール１９ａ，１９ｂとから形成された草履台１１が所定の強度を有するとともに所定の耐久性を有するから、履いたり脱いだりを繰り返すことができ、長期の使用に耐えることができる。
【００７６】
草履１０Ｂは、第１および第２上層両面段ボール１５ａ，１５ｂと第１および第２中層両面段ボール１７ａ，１７ｂと第１および第２下層両面段ボール１９ａ，１９ｂとを上下方向へ層状に重ね、所定の固着手段によって第１上層両面段ボール１５ａの裏ライナー２１ａの下面３４ａと第２上層両面段ボール１５ｂの表ライナー２０ｂの上面２７ｂとを固着し、所定の固着手段によって第２上層両面段ボール１５ｂの裏ライナー２１ｂの下面３４ｂと第１中層両面段ボール１７ａの表ライナー２８ａの上面３３ａとを固着し、所定の固着手段によって第１中層両面段ボール１７ａの裏ライナー２９ａの下面３５ａと第２中層両面段ボール１７ｂの表ライナー２８ｂの上面３３ｂとを固着するとともに、所定の固着手段によって第２中層両面段ボール１７ｂの裏ライナー２９ｂの下面３５ｂと第１下層両面段ボール１９ａの表ライナー３６ａの上面４０ａとを固着し、所定の固着手段によって第１下層両面段ボール１９ａの裏ライナー３７ａの下面４１ａと第２下層両面段ボール１９ｂの表ライナー３６ｂの上面４０ｂとを固着することから作られているから、その作成に手間がかからず廉価に作ることができる。
【００７７】
草履１０Ｂは、第１および第２上層両面段ボール１５ａ，１５ｂの面積と第１および第２下層両面段ボールの面積１９ａ，１９ｂとが第１および第２中層両面段ボール１７ａ，１７ｂの面積よりも小さく、第１および第２中層両面段ボール１７ａ，１７ｂの周縁部３２が第１および第２上層両面段ボール１５ａ，１５ｂおよび第１および第２下層両面段ボール１９ａ，１９ｂの周縁３１ａ，３１ｂ，３９ａ，３９ｂから径方向外方へ延出し、第１上層両面段ボール１５ａの面積が第２上層両面段ボール１５ｂの面積よりも小さく、第２上層両面段ボール１５ｂの周縁部が第１上層両面段ボール１５ａの周縁３１ａから径方向外方へ延出しているとともに、第２下層両面段ボール１９ｂの面積が第１下層両面段ボール１９ａの面積よりも小さく、第１下層両面段ボール１９ａの周縁部が第２下層両面段ボール１９ｂの周縁３９ｂから径方向外方へ延出しているから、草履１０Ｂの周縁に丸みを持たせることができ、草履１０Ｂとしての見端を向上させることができる。草履１０Ｂは、着用者の足裏が第１上層両面段ボール１５ａのライナーの周縁からはみ出したとしても、第２上層両面段ボール１５ｂや第１および第２中層両面段ボール１７ａ，１７ｂの周縁部３２に延びるライナーに足裏が接地するから、草履１０Ｂの周縁からの着用者の足裏のはみ出しを防ぐことができる。
【００７８】
草履１０Ａは、第１上層両面段ボール１５ａや第２下層両面段ボール１９ｂに防水加工を施すことで、第１上層両面段ボール１５ａや第２下層両面段ボール１９ｂから草履台１１への水分や湿気の滲入を防ぐことができ、水分や湿気が草履台１１へ滲入することによる草履台１１の強度や耐久性の低下を防ぐことができる。また、第１上層両面段ボール１５ａや第２下層両面段ボール１９ｂに防滑加工を施すことで、第１上層両面段ボール１６ａや第２下層両面段ボール１９ｂに滑り止め機能を持たせることができるから、草履１０Ｂを着用した着用者の足裏の草履台１１における滑りを防ぐことができ、草履１０Ｂの接地面に対する滑りを防ぐことができる。
【符号の説明】
【００７９】
１０Ａ  草履
１０Ｂ  草履
１１    草履台
１２    鼻緒
１３    前坪
１４    天
１５    上層段ボール
１５ａ  上層両面段ボール
１５ａ  第１上層両面段ボール
１５ｂ  第２上層両面段ボール
１６    巻
１７    中層段ボール
１７ａ  第１中層両面段ボール
１７ｂ  第２中層両面段ボール
１７ｃ  第３中層両面段ボール
１８    底
１９    下層段ボール
１９ａ  下層両面段ボール
１９ａ  第１下層両面段ボール
１９ｂ  第２下層両面段ボール
２０ａ，ｂ  表ライナー
２１ａ，ｂ  裏ライナー
２２ａ，ｂ  中芯
２３    下端部
２４    挿入孔
２５    後端部
２６    挿入孔
２７ａ，ｂ  上面
２８ａ〜ｃ  表ライナー
２９ａ〜ｃ  裏ライナー
３０ａ〜ｃ  中芯
３１ａ，ｂ  周縁
３２    周縁部
３３ａ〜ｃ  上面
３４ａ，ｂ  下面
３５ａ〜ｃ  下面
３６ａ，ｂ  表ライナー
３７ａ，ｂ  裏ライナー
３８ａ，ｂ  中芯
３９ａ，ｂ  周縁
４０ａ，ｂ  上面
４１ａ，ｂ  下面
４２    周縁部
【図１】
2019170872.tif 000003
【図２】
2019170872.tif 000004
【図３】
2019170872.tif 000005
【図４】
2019170872.tif 000006
【図５】
2019170872.tif 000007
【図６】
2019170872.tif 000008
【図７】
2019170872.tif 000009
【図８】
2019170872.tif 000010
【図９】
2019170872.tif 000011
【図１０】
2019170872.tif 000012
【図１１】
2019170872.tif 000013
【図１２】
2019170872.tif 000014
【図１３】
2019170872.tif 000015
【図１４】
2019170872.tif 000016